(57)【要約】【課題】  一次元的な操作（たとえば、上下スクロール、または最近のインテリジェンスマウスに備えたローラのように、ボタンを一方向に回す）により、画面上で文書画像の読み順に従って二次元的に画面をスクロールし、これにより、所望領域の画像を画面上に表示させることができるスクロール制御装置、スクロール制御方法、スクロール制御プログラムおよび記録媒体を提供する。【解決手段】  表示装置に使用されるスクロール制御装置１であって、スクロール指示装置の移動量に対応して、表示装置に表示される文書画像の読み順を決定する読み順決定手段１２と、前記読み順決定手段により決定した読み順に従って、文書画像の一部の領域を表示させる表示指示手段１３を備えたことを特徴とする。【選択図】  図１
2005092567.tif 000002
【特許請求の範囲】
【請求項１】
表示装置に使用されるスクロール制御装置において、
スクロール指示装置の移動量に対応して、表示装置に表示される文書画像の読み順を決定する読み順決定手段と、
前記読み順決定手段により決定した読み順に従って、文書画像の一部の領域を表示させる表示指示手段を備えたことを特徴とするスクロール制御装置。
【請求項２】
前記文書画像の一部を、文書画像の異なる種類の画像領域ごとに前記表示装置に表示させることを特徴とする請求項１に記載のスクロール制御装置。
【請求項３】
前記画像領域は、複数の文字行で構成される文字領域、写真領域、図領域、表領域であることを特徴とする請求項１または２に記載のスクロール制御装置。
【請求項４】
前記表示装置の画面サイズよりも大きな文書画像を表示させる場合において、当該文書画像が横書きであり、スクロール装置により右側表示の指示をしたときは、文書画像の文字行が右から左にスクロールする機能を備えたことを特徴とする請求項１から３の何れかに記載のスクロール制御装置。
【請求項５】
前記表示装置の画面サイズよりも大きな文書画像を表示させる場合において、当該文書画像が縦書きであり、スクロール装置により下側表示の指示をしたときは、文書画像の文字行が下から上にスクロールする機能を備えたことを特徴とする請求項１から４の何れかに記載のスクロール制御装置。
【請求項６】
前記表示装置の画面サイズよりも大きな文書画像を表示させる場合において、画面に行末が含まれ、さらに次文字の表示指示がされたときは、次行の行頭を表示させ、かつ少なくとも１行分繰り下がった画面に表示をジャンプさせるジャンプ機能を備えたことを特徴とする請求項１から５の何れかに記載のスクロール制御装置。
【請求項７】
前記表示装置の画面サイズよりも大きな文書画像を表示させる場合において、画面に行末が含まれ、さらに次文字の表示指示がされたときは、前記表示をジャンプさせる前に、表示解像度を変更し、スクロール装置の操作量に対して、変更された前記表示解像度の表示解像度に応じて画面上の移動量変化させる移動量変化手段を備えたことを特徴とする請求項６に記載のスクロール制御装置。
【請求項８】
前記表示装置の画面サイズよりも大きな文書画像を表示させる場合において、表裏領域の中心領域の表示解像度を、周辺領域の表示解像度と異なって表示させる解像度変更手段を備えたことを特徴とする請求項１から７の何れかに記載のスクロール制御装置。
【請求項９】
スクロールの制御および表示をユーザ端末装置において行わせ、前記表示装置に表示させる画像は、ネットワークを介して接続されたサーバーにおいて作成させることを特徴とする請求項１から８の何れかに記載のスクロール制御装置。
【請求項１０】
画像表示装置に使用されるスクロール制御方法において、
スクロール移動量に対応して、表示装置に表示させる文書画像の読み順に従い、文書画像の一部の領域を表示させることを特徴とするスクロール制御方法。
【請求項１１】
前記文書画像の一部を、文書画像の異なる種類の画像領域ごとに表示させることを特徴とする請求項１０に記載のスクロール制御方法。
【請求項１２】
前記画像領域は、複数の文字行で構成される文字領域、写真領域、図領域、表領域であることを特徴とする請求項１０または１１に記載のスクロール制御方法。
【請求項１３】
前記表示装置の画面サイズよりも大きな文書画像を表示させる場合において、当該文書画像が横書きであり、右側表示の指示をしたときは、文書画像の文字行が右から左にスクロールさせることを特徴とする請求項１０から１２の何れかに記載のスクロール制御方法。
【請求項１４】
前記表示装置の画面サイズよりも大きな文書画像を表示させる場合において、当該文書画像が縦書きであり、下側表示の指示をしたときは、文書画像の文字行が下から上にスクロールさせることを特徴とする請求項１０から１３の何れかに記載のスクロール制御方法。
【請求項１５】
前記表示装置の画面サイズよりも大きな文書画像を表示させる場合において、画面に行末が含まれ、さらに次文字の表示指示がされたときは、次行の行頭が表示され、かつ少なくとも１行分繰り下がった画面に表示をジャンプさせることを特徴とする請求項１０から１４の何れかに記載のスクロール制御方法。
【請求項１６】
前記表示装置の画面サイズよりも大きな文書画像を表示させる場合において、画面に行末が含まれ、さらに次文字の表示指示がされたときは、前記表示がジャンプする前に、表示解像度を変更し、スクロール操作量に対して、変更された前記表示解像度の表示解像度に応じて画面上の移動量変化させることを特徴とする請求項１５に記載のスクロール制御方法。
【請求項１７】
前記表示装置の画面サイズよりも大きな文書画像を表示させる場合において、表裏領域の中心領域の表示解像度を、周辺領域の表示解像度と異なって表示させることを特徴とする請求項１０から１６の何れかに記載のスクロール制御方法。
【請求項１８】
スクロールの制御および表示をユーザ端末装置において行い、前記表示装置に表示させる画像は、ネットワークを介して接続されたサーバーにおいて作成させることを特徴とする請求項１０から１７の何れかに記載のスクロール制御方法。
【請求項１９】
請求項１０から１８の何れかに記載の方法をコンピュータにより実行することができるスクロール制御プログラム。
【請求項２０】
請求項１９に記載のプログラムが格納されているコンピュータに読み取り可能な記録媒体。
【発明の詳細な説明】
【技術分野】
【０００１】
本発明は、一次元的な上下スクロール、画面上には文書画像の読み順に従って、二次元的に画面をスクロールし、これにより所望領域の画像を画面上に表示させることができるスクロール制御装置、スクロール制御方法、スクロール制御プログラムおよび記録媒体に関する。
【背景技術】
【０００２】
一般に、パーソナルコンピュータやＰＤＡ、携帯型電話機塔の画像の表示装置により文書画像を表示する場合においては、表示装置の表示可能サイズ（縦横の画素数）に比べて、文書画像の画素数が大きく、一覧表示ができない場合がある。
【０００３】
この不都合を解消するために、縮小画像表示（サムネール表示等）を行い、一覧表示をすることも行なわれるが、この表示では文書画像の中身（文字）を解読することはできないことがある。
【０００４】
そこで、大きな文書画像の一部を、サムネール表示よりは大きなサイズで表示して、ウィンドウに備えられたスクロールバーによって画面をスクロールすることが一般に行なわれる。たとえば、縦書き文書の場合に、横スクロールを行い、１行の行頭から行末までの情報を見て、次の行に表示を移行させる場合には、さらに縦スクロールバーによって縦スクロールを行なうといった二次元的な操作が必要となり、ユーザにとっては煩わしいものであった。特に、ＰＤＡや携帯型電話機といった、歩行等しながら、または片手で操作する端末では、横スクロール，縦スクロールを行なうことができるシーソーキーが備えられているとしても、二次元的な操作は容易ではない。
【０００５】
さらに、特許文献１には、ＰＤＡのどの限られた画面スペースに文書を表示する方法として、複数のウィンドウがある場合でも、必要な１組のスクロールバーのみを表示したり、文書全体に対する表示位置の目安を表示する方法が開示されている。また、特開１１−２１３０１１号公報では、表示領域がサムネール（縮小画像）を表示する領域と文書の一部を表示する領域とを備え、かつその一部をハイライト表示し、ハイライト表示部がスクロールと同期して上下するといった提案がなされている。
【特許文献１】特開２０００−１５９９４１公報
【発明の開示】
【発明が解決しようとする課題】
【０００６】
しかし、これら応報記載の技術においても、ユーザは縦スクロールと横スクロールとを二次元的に繰り返さないと文書を読むことができないという問題があり、操作性が極めて悪いという問題がある。
【０００７】
本発明の目的は、一次元的な操作（たとえば、上下スクロール、または最近のインテリジェンスマウスに備えたローラのように、ボタンを一方向に回す）により、画面上で文書画像の読み順に従って二次元的に画面をスクロールし、これにより、所望領域の画像を画面上に表示させることができるスクロール制御装置、スクロール制御方法、スクロール制御プログラムおよび記録媒体を提供することにある。
【課題を解決するための手段】
【０００８】
本発明の、スクロール制御装置は、画像表示装置に使用されるもので、スクロール指示装置の移動量に対応して、表示装置に表示させる文書画像の読み順を決定する読み順決定手段と、前記読み順決定手段により決定した読み順に従って、文書画像の一部の領域を表示させる表示指示手段を備えたことを特徴とする。
【０００９】
本発明のスクロール制御装置では、前記文書画像の一部を、文書画像の異なる種類の画像領域ごとに表示させるように構成できる。
【００１０】
本発明のスクロール制御装置では、前記画像領域を、複数の文字行で構成される文字領域、写真領域、図領域、表領域とすることができる。
【００１１】
本発明のスクロール制御装置では、前記表示装置の画面サイズよりも大きな文書画像を表示させる場合において、当該文書画像が横書きであり、スクロール装置により右側表示の指示をしたときは、文書画像の文字行が右から左にスクロールする機能を備えることができる。
【００１２】
本発明のスクロール制御装置では、記表示装置の画面サイズよりも大きな文書画像を表示させる場合において、当該文書画像が縦書きであり、スクロール装置により下側表示の指示をしたときは、文書画像の文字行が下から上にスクロールする機能を備えることができる。
【００１３】
本発明のスクロール制御装置では、前記表示装置の画面サイズよりも大きな文書画像を表示させる場合において、画面に行末が含まれ、さらに次文字の表示指示がされたときは、次行の行頭を表示させ、かつ少なくとも１行分繰り下がった画面に表示がジャンプさせるジャンプ機能を備えることができる。
【００１４】
本発明のスクロール制御装置では、前記表示装置の画面サイズよりも大きな文書画像を表示させる場合において、画面に行末が含まれ、さらに次文字の表示指示がされたときは、前記表示をジャンプさせる前に、表示解像度を変更し、スクロール装置の操作量に対して、変更された前記表示解像度の表示解像度に応じて画面上の移動量変化させる移動量変化手段を備えることができる。
【００１５】
本発明のスクロール制御装置では、前記表示装置の画面サイズよりも大きな文書画像を表示させる場合において、表裏領域の中心領域の表示解像度を、周辺領域の表示解像度と異なって表示させる解像度変更手段を備えることができる。
【００１６】
本発明のスクロール制御装置では、スクロールの制御および表示をユーザ端末装置において行わせ、前記表示装置に表示する画像は、ネットワークを介して接続されたサーバーにおいて作成させることをことができる。この場合、スクロール制御装置は通信装置を備えることができる。
【００１７】
本発明のスクロール制御方法では、スクロール移動量に対応して、表示装置に表示させる文書画像の読み順に従い、文書画像の一部の領域を表示させることができる。
【００１８】
本発明のスクロール制御方法では、前記文書画像の一部を、文書画像の異なる種類の画像領域ごとに表示させるようにできる。
【００１９】
本発明のスクロール制御方法では、前記画像領域は、複数の文字行で構成される文字領域、写真領域、図領域、表領域とすることができる。
【００２０】
本発明のスクロール制御方法では、前記表示装置の画面サイズよりも大きな文書画像を表示させる場合において、当該文書画像が横書きであり、たとえば右側表示の指示をしたときは、文書画像の文字行が右から左にスクロールするようにできる。
【００２１】
本発明のスクロール制御方法では、前記表示装置の画面サイズよりも大きな文書画像を表示させる場合において、当該文書画像が縦書きであり、下側表示の指示をしたときは、文書画像の文字行が下から上にスクロールするようにできる。
【００２２】
本発明のスクロール制御方法では、前記表示装置の画面サイズよりも大きな文書画像を表示させる場合において、画面に行末が含まれ、さらに次文字の表示指示がされたときは、次行の行頭を表示させ、かつ少なくとも１行分繰り下がった画面に表示がジャンプさせるようにできる。
【００２３】
本発明のスクロール制御方法では、前記表示装置の画面サイズよりも大きな文書画像を表示させる場合において、画面に行末が含まれ、さらに次文字の表示指示がされたときは、前記表示をジャンプさせる前に、表示解像度を変更し、スクロール操作量に対して、変更された前記表示解像度の表示解像度に応じて画面上の移動量変化させるようにできる。
【００２４】
本発明のスクロール制御方法では、前記表示装置の画面サイズよりも大きな文書画像を表示させる場合において、表裏領域の中心領域の表示解像度が、周辺領域の表示解像度と異なって表示させるようにできる。
【００２５】
本発明のスクロール制御方法では、スクロールの制御および表示をユーザ端末装置において行わせ、前記表示装置に表示する画像は、ネットワークを介して接続されたサーバーにおいて作成させるようにできる。
【００２６】
本発明のスクロール制御プログラムは、上述した方法をコンピュータにより実行することができ、本発明のコンピュータに読み取り可能な記録媒体にはこのプログラム格納される。
【発明の効果】
【００２７】
本発明では、パーソナルコンピュータやＰＤＡ、携帯型電話機塔の画像の表示装置により文書画像を表示しようとする場合において、表示画像がディスプレイのサイズより大きくても、ユーザにとって読むことが容易なスクロール制御装置、スクロール制御方法、スクロール制御プログラムおよび記録媒体を提供できる。
【発明を実施するための最良の形態】
【００２８】
図１は本発明のスクロール制御装置の実施形態を示すブロックである。スクロール制御装置１は、制御本体部１１と、読み順決定手段１２と、表示指示手段１３と、移動量変化手段１４と、解像度変更手段１５、スクロール装置１６と、通信手段１７とを備えている。制御本体部１１は、スクロール装置１６からスクロール指示信号を受け取り、当該指示に応じたスクロールを行なうことができる。読み順決定手段１２は、段組み等の文書の段組の読み順を決定することができる。表示指示手段１３は、表示装置に文書画像の一部または全部を表示させることができる。移動量変化手段１４は、スクロール装置１６によるスクロール指示と画面のスクロールとを同期させず、またはスクロール指示の大きさと画面のスクロールとの比を変更するようにできる。解像度変更手段１５は、スクロール装置１６からのスクロール指示信号に応じて表示領域の全体または一部の解像度を変更することができる。通信手段１７はインターネット等との接続を行なうこおができる。
【００２９】
図２は本発明の第１実施形態を示す説明図である。図２において、スクロール制御装置は、スクロール指示装置１の移動量に対応して、表示装置（端末４として示す）に表示される文書画像OGの読み順に従い、文書画像の一部の領域を表示することができる。
【００３０】
スクロール制御装置１は、文書を解析して読み順を特定する。読み順は、横書き１段組の場合には上から下の順であり、縦書き１段組の場合には右から左であるので、これらの場合には特定は容易である。また、文書解析を行なった結果、文書が複数段組により構成される場合には、メモリに予め記憶されている通常の複数段において採用される読み順を採用する。
【００３１】
図２（Ａ），（Ｂ），（Ｃ），（Ｄ）において、図２（Ａ）は原画像（文書画像１１）であり、当該文書には文字領域と図形領域とが含まれる。文字領域にはタイトルと本文が含まれており、フォントの大きさや字体からスクロール制御装置１は段組を解析し、読み順を特定する。すなわち、スクロール制御装置１は、表示対象での文書画像１１を領域識別処理により、文字領域、写真領域、図領域、表領域等に分割する。さらに、これらの文字領域や写真領域、図領域、表領域に読み順を付与する。たとえば、横書き二段組雑誌の場合には、タイトル、左の文字領域、右の文字領域の順番になる。
【００３２】
表示装置（４）には、マウスや矢印キーのスクロール装置が備えられており（図２では矢印キー）、ユーザはスクロール装置により、表示したい領域に表示画像をスクロールすることができる。図２（Ｂ）に示すように最初にタイトルが表示されている場合には、次表示の指示（たとえば、右矢印キーの操作、または下矢印キーの操作）を行なうと、図２（Ｃ）に示すようにタイトル領域から左の文字領域に表示が移り、さらに操作を連続さｓることで図２（Ｄ）に示すように右の文字領域に表示が移行する。なお、図２（Ｂ）〜（Ｄ）では拡大処理は行なわずに、等倍での表示を行なっている。なお、文書がワードプロセッサのような画像では、たとえば文書を再編集して（１行あたりの文字数を少なくする等）の処理をし、当該処理後の文書に基づき上記表示をするようにもできる。
【００３３】
もちろん、ユーザが１つ前の領域を表示したい旨の指示を行なえば、表示領域は逆スクロールされるし、たとえば、キー（たとえば、上矢印キーや下矢印キー）に所定コマンドを予め設定しておけば、先頭の文字領域や末尾の文字領域にジャンプさせることがもできる。
【００３４】
また、ワードプロセッサ（ソフトウェア）の電子文書などの構造化されたアプリケーションにおいて、画像の種類を表すデータ（領域を示す属性情報）をタグ等の形態で持っている場合には領域識別処理が容易となるし、さらに読み順情報をタグとして持っている場合にはは領域識別処理を行なう必要はなくなる。
【００３５】
これにより、限られたスペースに、文書画像の一部が拡大表示され、ユーザの視認性が極めて高くなり、文字領域中の小さな文字の内容も容易に理解することができる。さらに、次の領域へのスクロールは、マウスなどのスクロール制御装置からの指示によって行なうことができる。
【００３６】
図３（Ａ），（Ｂ），（Ｃ），（Ｄ），（Ｅ）は本発明の第２実施形態を示す説明図である。図３（Ａ）は、原画像を示しており、スクロール制御装置は、拡大した画像を表示装置（４）に表示させることができる。拡大した状態で右矢印キーを操作すると、画像は図３（Ｂ）の状態から、図３（Ｃ），（Ｄ）の状態に移行し、さらに図３（Ｅ）に示すように行末が表示されると、次の右矢印キーの操作により画面は行頭を含む表示に切り替わる。
【００３７】
図４（Ａ），（Ｂ），（Ｃ），（Ｄ）は本発明の第３実施形態を示す説明図である。第１，第２実施形態では、単に等倍率でジグザグに表示を行なっているが、一旦、文書の全体表示（縮小表示）を行なった後に、行末から行頭に戻るようにしている。すなわち、図４（Ａ）に示すように行末が表示されている状態で、たとえば右矢印キーを操作すると、表示は表示画像が図４（Ｂ）に示すように縮小され、さらに右矢印キーを操作すると表示画像も図４（Ｃ）に示すようにさらに縮小する。この後、右矢印キーを操作すると、図４（Ｄ）に示すように行頭を表示する領域を拡大表示する。
【００３８】
図５（Ａ），（Ｂ）は本発明の第４実施形態を示す説明図である。第１〜第３実施形態では、表示画面中では通常の表示のように全ての領域で同一の解像度で表示しているが、第４実施形態では中央部のみを拡大し、表示画面中の中央部以外の領域では中央よりも縮小した表示を行なっている。すなわち、図５（Ａ）では中央部は拡大して表示されているが、上下の領域は縮小して表示され、図５（Ｂ）では中央部は拡大して表示されているが、上下・左右の領域が縮小して表示されている。縮小領域は、拡大した領域に対して段階的（１段階、２段階等）に縮小してもよいし、連続的に縮小してもよい。
【図面の簡単な説明】
【００３９】
【図１】本発明の実施形態を示すブロック図である。
【図２】本発明の第１実施形態を示す説明図である。
【図３】本発明の第２実施形態を示す説明図である。
【図４】本発明の第３実施形態を示す説明図である。
【図５】本発明の第４実施形態を示す説明図である。
【符号の説明】
【００４０】
１  スクロール制御装置
１１  制御本体部
１２  読み順決定手段
１３  表示指示手段
１４  移動量変化手段
１５  解像度変更手段
１６  スクロール装置
１７  通信手段
【図１】
2005092567.tif 000003
【図２】
2005092567.tif 000004
【図３】
2005092567.tif 000005
【図４】
2005092567.tif 000006
【図５】
2005092567.tif 000007